(57)【要約】撮影スイッチ（５５）が操作されると、ミラー（２６）が光路から外れてストロボ（１４）が発光され、被検眼が撮像装置（３３）により撮像される。撮像装置により撮影された被検眼の画像は画像１次記録手段（５２）に記録される。このような構成では、被検眼の画像が撮影装置本体内に設けられる画像１次記録手段に記録できるので、外部記録装置の録画準備状態に依存せず、またストロボ発光のタイミングを外部の記録装置を経由せずに取ることができ、被検眼を確実にしかも円滑に記録することができる。また、画像１次記録手段に記録された画像は画像２次記録手段（６０）に記録できるので、画像２次記録手段を外部記録装置に配置すれば外部記録装置に記録したのと同じ効果が得られる。
2002022005.tif 000002
【特許請求の範囲】
【請求項１】
ストロボを発光することにより被検眼を撮影する被検眼撮影装置において、
ストロボ発光手段と、
ストロボ発光により照明された被検眼を撮像する撮像装置と、
撮像装置により撮影された被検眼の画像を１次的に記録する画像１次記録手段とを備え、
前記画像１次記録手段に記録された画像が画像１次記録手段に接続可能な画像２次記録手段に記録できることを特徴とする被検眼撮影装置。
【請求項２】
前記画像１次記録手段が被検眼撮影装置本体内に設けられ、画像２次記録手段が本体外に設けられることを特徴とする請求の範囲第１項に記載の被検眼撮影装置。
【請求項３】
前記画像１次記録手段は、ストロボ発光と同期して撮像装置からの所定フレーム分の被検眼画像を記録することを特徴とする請求の範囲第１項又は第２項に記載の被検眼撮像装置。
【請求項４】
被検眼の画像は前記画像１次記録手段に記録された後、所定の時間経過後に自動的に画像２次記録手段に記録されることを特徴とする請求の範囲第１項から第３項のいずれか１項に記載の被検眼撮影装置。
【請求項５】
被検眼の画像は前記画像１次記録手段に記録された後、記録スイッチの操作に応じて画像２次記録手段に記録されることを特徴とする請求の範囲第１項から第３項のいずれか１項に記載の被検眼撮影装置。
【請求項６】
前記画像１次記録手段に記録するとき先に記録されていた画像情報が消去され、新たな画像情報が記録されることを特徴とする請求の範囲第１項から第５項のいずれか１項に記載の被検眼撮影装置。
【請求項７】
前記画像２次記録手段に記録された画像情報は外部からの電源供給が遮断されても記録が保持されることを特徴とする請求の範囲第１項から第６項のいずれか１項に記載の被検眼撮影装置。
【請求項８】
前記画像１次記録手段に記録された画像を再生表示する手段が設けられ、画像１次記録手段に記録された画像の再生表示中、または画像２次記録手段に記録中は画像１次記録手段に対する画像記録を禁止することを特徴とする請求の範囲第１項から第７項のいずれか１項に記載の被検眼撮影装置。
【請求項９】
前記撮像装置から出力される被検眼の画像が選択スイッチの操作により画像１次記録手段を介さず直接画像２次記録手段に記録できることを特徴とする請求の範囲第１項から第８項のいずれか１項に記載の被検眼撮影装置。
【請求項１０】
前記記録スイッチあるいは選択スイッチが被検眼撮影装置本体に備わっていることを特徴とする請求の範囲第５項又は第９項に記載の撮影装置。
【請求項１１】
被検眼の画像は、前記画像１次記録手段に記録された後、ＣＤ−ＲあるいはＣＤ−ＲＷに画像読み取りソフトとともに記録されることを特徴とする請求の範囲第１項から第３項のいずれか１項に記載の被検眼撮影装置。
【請求項１２】
被検眼の画像がＣＤ−ＲＷに記録された場合、ＣＤ−ＲＷに記録されている画像読み取りソフトにより被検眼の画像を閲覧しその画像に付加情報が追記されることを特徴とする請求の範囲第１１項に記載の被検眼撮影装置。
【請求項１３】
ストロボを発光することにより被検眼を撮影する被検眼撮影システムにおいて、
ストロボ発光手段と、
ストロボ発光により照明された被検眼を撮像する撮像装置と、
撮像装置により撮影された被検眼の画像を１次的に記録する画像１次記録手段と、
前記画像１次記録手段に接続可能な画像２次記録手段とを備え、
撮像装置により撮影された被検眼画像が画像１次記録手段に記録された後に画像２次記録手段に記録されることを特徴とする被検眼撮影システム。
【請求項１４】
被検眼の画像は前記画像１次記録手段に記録された後、所定の時間経過後に自動的に画像２次記録手段に記録されることを特徴とする請求の範囲第１３項に記載の被検眼撮影システム。
【請求項１５】
被検眼の画像は前記画像１次記録手段に記録された後、記録スイッチの操作に応じて画像２次記録手段に記録されることを特徴とする請求の範囲第１３項に記載の被検眼撮影システム。
【請求項１６】
被検眼の画像は、前記画像１次記録手段に記録された後、ＣＤ−ＲあるいはＣＤ−ＲＷに画像読み取りソフトとともに記録されることを特徴とする請求の範囲第１３項に記載の被検眼撮影システム。
【請求項１７】
被検眼の画像がＣＤ−ＲＷに記録された場合、ＣＤ−ＲＷに記録されている画像読み取りソフトにより被検眼の画像を閲覧しその画像に付加情報が追記されることを特徴とする請求の範囲第１６項に記載の被検眼システム。
【発明の詳細な説明】
技術分野
本発明は、被検眼撮影装置、更に詳細には、ストロボの発光に応じて被検眼、特に被検眼眼底の撮像を行う機能を持った被検眼撮影装置に関する。
背景技術
従来から、例えば、特許公報第２９２７４９３号に記載されているように、ストロボを発光し、被検眼の眼底をＣＣＤカメラなどの撮像装置で撮影し、これを撮影装置本体に接続された外部の画像記録機器を用いて被検眼の画像記録を行う撮影装置が知られている。
しかしながら、従来の被検眼撮影装置では、画像記録装置の動作状態によって撮影装置本体の動作が制限されるため、例えば外部記録装置の録画準備の設定を忘れて撮影を行うと画像が記録されないといった撮影ミスを引き起こす可能性がある。また、撮影装置本体におけるストロボ発光のタイミングを外部記録装置の同期に合わせるために、撮影装置本体が記録装置を介して発光許可信号を受け取らねばならず、接続可能な画像記録装置の種類が限られる、といった問題がある。
更に従来の装置では、撮影操作の際に被検眼撮影装置本体と画像記録装置双方のスイッチ類を操作する必要があり、必然的にシステムの取り扱いは煩雑になり、外部記録装置の録画準備の設定を誤ってしまうことにより不必要な画像が記録装置に転送され録画されてしまうといった問題点も指摘されている。
本発明は、このような問題点を解決するためになされたもので、被検眼を確実にかつ円滑に撮影することが可能な被検眼撮影装置ないしシステムを提供することを課題とする。
発明の開示
本発明は、上記課題を解決するために、ストロボを発光することにより被検眼を撮影する被検眼撮影装置において、ストロボ発光手段と、ストロボ発光により照明された被検眼を撮像する撮像装置と、撮像装置により撮影された被検眼の画像を１次的に記録する画像１次記録手段とを備え、前記画像１次記録手段に記録された画像が画像１次記録手段に接続可能な画像２次記録手段に記録できる構成を採用している。
このような構成では、被検眼の画像が撮影装置本体内に設けられる画像１次記録手段に記録できるので、外部記録装置の録画準備状態に依存せず、またストロボ発光のタイミングを外部の記録装置を経由せずに取ることができ、被検眼を確実にしかも円滑に記録することが可能になる。
また、画像１次記録手段は画像２次記録手段に接続でき、画像１次記録手段に記録された画像が画像２次記録手段に記録できるので、画像２次記録手段を外部記録装置に配置すれば外部記録装置に記録したのと同じ効果が得られる。
好ましくは、被検眼の画像は画像１次記録手段に記録された後、所定の時間経過後に自動的に画像２次記録手段に記録される。しかし、自動的でなく、記録スイッチの操作に応じて、つまり手動で画像１次記録手段に記録されている被検眼の画像を画像２次記録手段に記録させることもできる。この場合には、まず、検者が撮影装置の本体内に１次記録された眼底画像によって診断を行い、診断の結果永久保存が必要と判断した画像のみを画像２次記録装置に後から転送することができる。従って、画像２次記録装置の録画容量を節約して効率的にシステムを運用することが可能になる。
また、好ましくは、被検眼の画像は、画像１次記録手段に記録された後、ＣＤ−ＲあるいはＣＤ−ＲＷに画像読み取りソフトとともに記録される。被検眼の画像がＣＤ−ＲＷに記録された場合には、ＣＤ−ＲＷに記録されている画像読み取りソフトにより被検眼の画像を閲覧しその画像に付加情報を追記することができる。このような構成では、被検眼の画像が例えば、パーソナルコンピュータような装置で再生することができ、また、画像に診断コメントなどの付加情報を追記できるので、画像の利用範囲が拡大される。
発明を実施するための最良の形態
以下、図面に示す実施の形態に基づいて本発明を詳細に説明する。
第１図には、本発明の被検眼撮影装置１とこれに接続される外部記録装置２が図示されており、被検眼撮影装置１と外部記録装置２で被検眼撮影システムが構成される。
被検眼撮影装置１には、観察用光源であるランプ１１が設けられており、このランプから発せられた光は、赤外フィルター１２、コンデンサーレンズ１３、撮影用光源であるストロボ１４を経て、リングスリット１６を照明する。このリングスリット１６は所定の外径と内径を有し、被検眼Ｅの瞳Ｅｐと略共役位置に円環状照明光束を形成する。
リングスリット１６からの光束は、対物レンズ２１からの反射をとるための黒点１８ａを有する黒点板１８を通過して、赤外ハーフミラー４５を通過し、リレーレンズ１９を経て中心に穴の開いた穴あき全反射ミラー２０で反射される。全反射ミラー２０で反射された光束は対物レンズ２１により被検眼Ｅの瞳Ｅｐで結像された後、眼底Ｅｒに入射し眼底を赤外光でほぼ均一に照明する。
また、眼底にフォーカスドットを形成し焦点合わせをするために、中心に小孔４１ａが形成されたフォーカス指標４１が設けられ、このフォーカス指標４１はイメージプリズム４２を介して赤外ＬＥＤ４３により照明され、フォーカスレンズ４４を介して赤外ハーフミラー４５で反射された後照明光学系の光束と合成され、眼底Ｅｒにフォーカス指標４１が投影され、フォーカスドットが形成される。
フォーカスレンズ４４は、撮影光学系のフォーカスレンズ２３と機械的に連動しており、フォーカスレンズ２３の調節により被検眼の眼底Ｅｒに焦点の合ったアライメント状態では、フォーカス指標４１が、眼底Ｅｒに結像されるように、すなわちフォーカス指標４１の位置が略眼底Ｅｒと共役な位置になるように構成されている。
眼底Ｅｒからの反射光は、再び瞳Ｅｐの中心部を通過して対物レンズ２１を介して受光され、穴あき全反射ミラー２０の穴を介して、撮影光学系の光路に配置された撮影絞り２４、フォーカスレンズ２２、２３、結像レンズ２５を通過してリターンミラー２６に入射する。リターンミラー２６で反射された眼底からの光束は、結像レンズ２７により赤外フィルター２８を前面に配置した赤外光に感度を有する赤外用撮像装置（ＣＣＤカメラ）２９に集光され、それにより眼底像が赤外用撮像装置２９で撮像される。赤外用撮像装置２９で撮影された眼底像は切り換え回路５０を介して液晶などで構成されるモニタ５１に表示され、検者が観察できるようになっている。
また、リターンミラー２６の背後には、結像レンズ３２、可視光に感度を有する可視用撮像装置３３が配置される。この可視用撮像装置３３は、撮影スイッチ５５が操作されたときには、タイミング制御回路５４により作動される切り換え回路５０を介してＶＲＡＭ、フラッシュメモリなどで構成される画像１次記録手段ないし記録装置５２に接続され、また、同期検出回路５３により可視用撮像装置３３の映像信号から垂直同期信号が抽出される。画像１次記録手段５２はモニタ５１に接続されており、画像１次記録手段５２に記録された画像をモニタ５１に再生表示させることができる。また、タイミング制御回路５４は撮影スイッチ５５が操作されたときリターンミラー２６を跳ね上げ、光路から離脱させるとともに、ストロボ発光制御回路５６を作動してストロボ１４を発光させる。
被検眼撮影装置１は、ハードディスク、ＭＯ、ＤＶＤ、プリンタなどの画像２次記録手段ないし記録装置６０と制御回路６１を有する外部記録装置２と接続させることができる。両装置１と２が接続された場合には、被検眼撮影装置１のコネクタ１ａ、１ｂと外部記録装置２のコネクタ２ａ、２ｂがそれぞれ接続され、画像１次記録手段５２と画像２次記録手段６０が接続され、またタイミング制御回路５４と制御回路６１が接続される。また、オプションとして画像２次記録手段６０をモニタ５１に接続することができ、これは被検眼撮影装置１のコネクタ１ｃと外部記録装置２のコネクタ２ｃを介して行なわれる。
次に、このように構成された被検眼撮影装置ないしシステムの動作を説明する。
被検眼の観察時には、ランプ１１が点灯され、赤外フィルター１２で赤外光の波長域が抽出された光束は、コンデンサーレンズ１３、リングスリット１６、黒点板１８、赤外ハーフミラー４５、リレーレンズ１９を経て穴あき全反射ミラー２０で反射され、被検眼Ｅの瞳Ｅｐを通過した後、眼底Ｅｒに入射し眼底を赤外光で照明する。また、眼底Ｅｒからの反射光は、瞳Ｅｐの中心部を通過して対物レンズ２１を介して受光され、穴あき全反射ミラー２０の穴を通過し、撮影絞り２４、レンズ２２、２３、２５を経て、リターンミラー２６で反射され、結像レンズ２７により赤外用撮像装置２９に集光され、眼底像が赤外用撮像装置２９で撮像される。今切り換え回路５０は赤外用撮像装置２９の方に切り換っているので、眼底像はモニタ５１で再生され検者により観察される。
この観察時には、赤外ＬＥＤ４３も同時に点灯され、イメージプリズム４２を介してフォーカス指標４１が照明され、フォーカス指標４１の小孔４１ａを通過した赤外光は赤外ハーフミラー４５で反射され、照明光と合成されて眼底Ｅｒにフォーカスドットとして投影される。フォーカスレンズ２３を調節すると、それと連動してフォーカスレンズ４４が調節され、鮮明なフォーカスドットが観察されたときに、眼底像も撮影光学系に対して合焦するので、検者はモニタ５１に映るフォーカスドットをフォーカスレンズ２３を調節して合焦状態にすることにより眼底に焦点を合わせることができる。
この眼底観察は、赤外光を被検眼に照射して行なわれるので、被検眼を無散瞳状態で観察でき、被検者の負担を軽減させることができる。
このようにして、焦点合わせが終了すると、撮影スイッチ（シャッター）５５が操作される。このとき、タイミング制御回路５４が作動し、第２図（Ａ）、（Ｂ）、（Ｃ）に示したように、撮影スイッチ操作後の所定のタイミングでリターンミラー２６が跳ね上がって光路から離脱され、また切り換え回路５０により撮像装置が赤外用撮像装置２９から可視用撮像装置３３に切り換えられ、可視用撮像装置３３からの映像信号が画像１次記録手段５２に入力されるとともに、同期検出回路５３に入力されるので、同期検出回路５３から第２図（Ｄ）に示したような垂直同期信号が出力される。
タイミング制御回路５４は所定の垂直同期信号Ｓ１にタイミングを合わせて第２図（Ｆ）に示したようなストロボ発光信号Ｓ２をストロボ発光制御回路５６に送り、それによりストロボ４が発光し、眼底が可視光で照射され、その像が可視用撮像装置３３で撮像される。このとき、タイミング制御回路５４はストロボ発光信号Ｓ２の後の第１フィールド（奇数フィールド）の垂直同期信号Ｓ３に同期して画像１次記録信号Ｓ４を画像１次記録手段５２に出力する。この画像１次記録信号Ｓ４は、第１フィールドと第２フィールド（偶数フィールド）の長さ、すなわち１フレームの分の期間を有しているので、画像１次記録手段５２には、１フレーム分の眼底像が記録される。
なお、画像１次記録手段５２はＶＲＡＭ、フラッシュメモリなどから構成されており、眼底像が前記１次記録手段５２に記録されると、自動的に先に記録されていた情報が消去され、新たな情報で上書きされるようになっている。
このように、画像１次記録手段５２に画像記録後、所定の時間経過すると、タイミング制御回路５４は本体から外部記録装置２に録画指令信号Ｓ５（第２図（Ｈ））を出力し、それにより制御回路６１は、第２図（Ｉ）に図示したような画像２次記録信号Ｓ６を画像２次記録手段６０に出力するので、画像１次記録手段５２に記録されていた１フレーム分の眼底画像が画像２次記録手段６０に記録されるようになる。この画像２次記録手段６０は、ハードディスク、ＭＯ、ＤＶＤ、プリンタなどで構成されており、記録後電源を遮断しても、その記録を保持することができる。この画像２次記録手段６０に記録された画像信号は、コネクタ１ｃ、２ｃを介して接続される本体のモニタ５１に再生表示させることもできる。
また画像１次記録手段５２に記録された眼底像はモニタ５１に再生表示させることができ、この再生表示中、ないし画像１次記録手段５２から画像２次記録手段６０に画像信号が出力されている間は、ストロボ発光信号の出力が禁止されるか、あるいはストロボが発光しても、画像１次記録手段５２による画像記録（書き込み）が禁止され、画像１次記録信号Ｓ４が発生されることがない。これにより誤ってストロボが発光してあるいは誤操作により記録された貴重な画像が消失してしまうのを防止することができる。
第３図には、本発明の他の実施形態が図示されている。第１図と同一部分には同一の参照符号が付されており、その詳細な説明は省略する。
第１図の実施形態では、外部の画像２次記録装置への記録は、タイミング制御回路５４が出力する録画指令信号により自動的に行なわれたが、第３図の実施形態では、記録スイッチ５７が操作されたときに、録画指令信号Ｓ５がタイミング制御回路５４から制御回路６１に出力され、それに応答して制御回路６１から画像２次記録信号Ｓ６が出力され、画像１次記録手段５２に記録された画像が画像２次記録手段６０に転送されそこに録画される。
このような構成では、まず、検者が撮影装置１の本体内に１次記録された眼底画像によって診断を行い、診断の結果永久保存が必要と判断した画像のみを外部記録装置の画像２次記録装置に後から転送することができる。従って、接続した記録装置の録画容量を節約して効率的にシステムを運用することが可能になる。
また、可視用撮像装置３３から出力される映像信号を画像１次記録手段５２を介せずに直接画像２次記録手段６０に対して出力させることもできる。そのために、第３図に示したように、選択スイッチ５８が設けられる。選択スイッチ５８が第３図で下側に切り換っている場合には、第１図の実施形態と同様に、可視用撮像装置３３から出力される映像信号は一旦画像１次記録手段５２に記録されるが、上側に切り換っている場合には、可視用撮像装置３３から出力される映像信号は画像１次記録手段５２を介せずにコネクタ１ｄ、２ｄを介して直接画像２次記録手段６０に対して出力され、そこに記録される。
更に、第４図には、他の実施形態が図示されており、同実施形態では、被検眼撮影装置１が外部記録装置としてのパーソナルコンピュータ７０と、接続ケーブル、例えばＵＳＢ（ユニバーサルシリアルバス）ケーブル７１を介して接続される。パーソナルコンピュータ７０は、ＣＰＵ７２、キーボード７３、モニタ７４、ＶＲＡＭ７５、ハードディスク７６、ＣＤ−Ｒ（書き込み可能なコンパクトディスク）７８を駆動するＣＤ−Ｒドライブ７７を備えており、被検眼撮影装置１の画像１次記録手段５２は、ＵＳＢケーブル７１を用いてコネクタ１ａ介してパーソナルコンピュータ７０のＶＲＡＭ７５に接続される。
このような構成では、画像１次記録手段５２に記録された被検眼の画像は、キーボード７３の所定のキーを操作することにより、ＣＰＵ７２の制御の元に一旦ＶＲＡＭ７５に取り込まれ、ハードディスク７６に記録されたり、あるいはＣＤ−Ｒドライブ７７を介してＣＤ−Ｒ７８に記録され、これらに記録された画像はモニタ７４を介して観察することができる。ＣＤ−Ｒ７８に画像を記録する場合には、自動的に画像読み取りソフトがＣＤ−Ｒ７８に記録されるので、このＣＤ−Ｒ７８を別のパーソナルコンピュータ８０に装着すれば、ＣＤ−Ｒ７８に記録された画像読み取りソフトにより、このパーソナルコンピュータ８０でも、披検眼画像を観察することが可能になる。また、パーソナルコンピュータにＣＤ−ＲＷ（データ書き換え可能なコンパクトディスク）を駆動できるＣＤ−ＲＷドライブが装着されている場合には、ＣＤ−ＲＷに画像１次記録手段５２に記録された画像を記録するようにすると、ＣＤ−ＲＷに自動的に記録される画像読み取りソフトにより別のパーソナルコンピュータ８０で画像を見たときに、その画像に付加情報、例えば診断コメントなどを追記することができる。
産業上の利用可能性
以上説明したように、本発明によれば、外部に接続される外部記録装置の録画準備の設定に依存せずに撮影ができる。例えば、外部記録装置が本体装置に接続されていなくても、あるいは接続されていても外部記録装置の電源が入ってなくて録画準備ができていなくても、画像１次記録手段には確実に眼底画像を記録することができる。従って、撮影ミスをなくし、被検眼の確実かつ円滑な撮影操作が可能になる。
また、本発明では、撮影装置本体におけるストロボ発光のタイミングを外部の記録装置を経由して制御する必要がないため、接続を行う記録装置に制限が少なく各種の画像記録装置を利用することも容易で、ユーザーの状況に応じて多様なシステム構成が可能になる。
また、１次記録された画像の再生表示中は、誤って撮影ボタンを押しても先に１次記録手段に記録してある画像が勝手に書き換えられる可能性は低く抑えられ、従って貴重な画像の消失を未然に防ぐことができる。
更に、本発明では、撮影装置本体内に１次記録された眼底画像によって診断を行うことも可能であり、診断の結果永久保存が必要と判断した画像のみを外部の２次記録装置に後から転送することもできるので、接続した外部記録装置の録画容量を節約して効率的にシステムを運用することが可能になるといった点で優れた効果が得られる。
また、一般的に１次記憶装置に使用されるメモリは２次記憶装置に使用されるハードディスク、ＭＯ、ＤＶＤ、プリンタ等に対し、省スペース、省電力であるので、本体撮影装置を小さくすることができまた動作安定性にも優れているので、被検者に負担をかけるストロボ発光撮影時に記録装置の動作不良により記録を失敗する危険性も低く抑えられる。
また、本体側から２次記録装置の録画制御を行えるので２次記録装置を本体から離して、診断室外に置くことも可能であるので、診断室の省スペース化も実現できる。
また、本発明では、被検眼の画像を、画像１次記録手段に記録した後、ＣＤ−ＲあるいはＣＤ−ＲＷに画像読み取りソフトとともに記録することができるので、例えば、ＣＤ−ＲドライブあるいはＣＤ−ＲＷドライブを備えたパーソナルコンピュータなどで画像読み取りソフトにより被検眼画像を再生することができ、また、被検眼の画像がＣＤ−ＲＷに記録された場合には、被検眼の画像を閲覧しその画像に付加情報が追記できるので、撮影画像の利用範囲が拡大する。
【図面の簡単な説明】
【図１】は、本発明の被検眼撮影装置の全体の構成を示す構成図である。
【図２】は、被検眼撮影時の撮影及び記録のタイミングを示すタイミング図である。
【図３】は、本発明の被検眼撮影装置の他の実施形態の構成を示す構成図である。
【図４】は、本発明の被検眼撮影装置の更に他の実施形態の構成を示す構成図である。
【図１】
2002022005.tif 000003
【図２】
2002022005.tif 000004
【図３】
2002022005.tif 000005
【図４】
2002022005.tif 000006
【手続補正書】
【提出日】平成14年3月12日(2002.3.12)
【手続補正１】
【補正対象書類名】明細書
【補正対象項目名】特許請求の範囲
【補正方法】変更
【補正の内容】
【特許請求の範囲】
【請求項１】
ストロボを発光することにより被検眼を撮影する被検眼撮影装置において、
ストロボ発光手段と、
ストロボ発光により照明された被検眼を撮像する撮像装置と、
撮像装置により撮影された被検眼の画像を記録する画像１次記録手段と、
前記画像１次記録手段に記録された画像を再生表示する表示手段と、
前記画像１次記録手段と被検眼撮影装置本体外に配置された画像２次記録手段とを接続可能にする接続機構とを備え、
ストロボ発光に同期して前記画像１次記録手段に記録された画像を、ストロボ発光の同期に関係なく前記接続機構に接続された画像２次記録手段へ転送できることを特徴とする被検眼撮影装置。
【請求項２】
前記画像２次記録手段と前記表示手段を接続可能にする接続機構が設けられ、前記画像２次記録手段に記録された画像を、前記表示手段に表示できることを特徴とする請求の範囲第１項に記載の被検眼撮影装置。
【請求項３】
前記画像１次記録手段に記録された画像の再生表示中、または画像２次記録手段に記録中は画像１次記録手段に対する画像記録を禁止することを特徴とする請求の範囲第１項又は第２項に記載の被検眼撮影装置。
【請求項４】
前記撮像装置から出力される被検眼の画像が選択スイッチの操作により画像１次記録手段を介さず直接画像２次記録手段に記録できることを特徴とする請求の範囲第１項から第３項のいずれか１項に記載の被検眼撮影装置。
【請求項５】
前記画像１次記録手段は、ストロボ発光と同期して撮像装置からの所定フレーム分の被検眼画像を記録することを特徴とする請求の範囲第１項から第４項のいずれか１項に記載の被検眼撮影装置。
【請求項６】
被検眼の画像は前記画像１次記録手段に記録された後、所定の時間経過後に自動的に画像２次記録手段に記録されることを特徴とする請求の範囲第１項から第５項のいずれか１項に記載の被検眼撮影装置。
【請求項７】
被検眼の画像は前記画像１次記録手段に記録された後、記録スイッチの操作に応じて画像２次記録手段に記録されることを特徴とする請求の範囲第１項から第６項のいずれか１項に記載の被検眼撮影装置。
【請求項８】
前記画像１次記録手段に記録するとき先に記録されていた画像情報が消去され、新たな画像情報が記録されることを特徴とする請求の範囲第１項から第７項のいずれか１項に記載の被検眼撮影装置。
【請求項９】
前記画像２次記録手段に記録された画像情報は外部からの電源供給が遮断されても記録が保持されることを特徴とする請求の範囲第１項から第８項のいずれか１項に記載の被検眼撮影装置。
【請求項１０】
前記記録スイッチあるいは選択スイッチが被検眼撮影装置本体に備わっていることを特徴とする請求の範囲第４項又は第７項に記載の被検眼撮影装置。
【請求項１１】
被検眼の画像は、前記画像１次記録手段に記録された後、ＣＤ−ＲあるいはＣＤ−ＲＷに画像読み取りソフトとともに記録されることを特徴とする請求の範囲第１項から第１０項のいずれか１項に記載の被検眼撮影装置。
【請求項１２】
被検眼の画像がＣＤ−ＲＷに記録された場合、ＣＤ−ＲＷに記録されている画像読み取りソフトにより被検眼の画像を閲覧しその画像に付加情報が追記されることを特徴とする請求の範囲第１１項に記載の被検眼撮影装置。
【請求項１３】
削除
【請求項１４】
削除
【請求項１５】
削除
【請求項１６】
削除
【請求項１７】
削除
【国際調査報告】
2002022005.tif 000007
2002022005.tif 000008
2002022005.tif 000009
2002022005.tif 000010
2002022005.tif 000011